(57)【要約】【課題】梱包箱の転倒の有無と転倒方向を検知することができる転倒検知器を提供すること。【解決手段】梱包箱又は該梱包箱が載置されるパレット１０に設置されて梱包箱の転倒の有無と転倒方向を検知するための転倒検知器１を、上端が開口した容器３を透明なケース２内に収納し、該ケース２内の前記容器３との間の空間を仕切板５によって区画して周方向に複数の室Ｓ１〜Ｓ４を形成し、前記容器３内に砂（流動体）４を収容して構成し、前記梱包箱の転倒によって前記容器３内の砂４が複数の前記室Ｓ１〜Ｓ４の何れかに収納されるようにする。例えば、前記容器２を上方に向かって先細り形状に成形するとともに、その上端を前記仕切板５の上端よりも高い位置で開口させる。又、前記ケース２内の前記容器３との間の空間を４枚の前記仕切板５によって４つの室Ｓ１〜Ｓ４に区画する。【選択図】図３
2014162497.tif 000002
【特許請求の範囲】
【請求項１】
梱包箱又は該梱包箱が載置されるパレットに設置されて梱包箱の転倒の有無と転倒方向を検知するための転倒検知器であって、
上端が開口した容器を透明なケース内に収納し、該ケース内の前記容器との間の空間を仕切板によって区画して周方向に複数の室を形成し、前記容器内に流動体を収容して構成され、前記梱包箱の転倒によって前記容器内の流動体が複数の前記室の何れかに収納されるようにしたことを特徴とする転倒検知器。
【請求項２】
前記容器を上方に向かって先細り形状に成形するとともに、その上端を前記仕切板の上端よりも高い位置で開口させたことを特徴とする請求項１記載の転倒検知器。
【請求項３】
前記ケース内の前記容器との間の空間を４枚の前記仕切板によって４つの室に区画したことを特徴とする請求項１又は２記載の転倒検知器。
【請求項４】
前記ケースの外周に位置決めリブを突設したことを特徴とする請求項１〜３の何れかに記載の転倒検知器。
【請求項５】
請求項１〜４の何れかに記載された転倒検知器を備えることを特徴とする梱包装置。
【請求項６】
パレットの桁に前記点灯検知器を収納し、前記桁に視認用の窓を形成したことを特徴とする請求項５記載の梱包装置。
【発明の詳細な説明】
【技術分野】
【０００１】
本発明は、梱包箱の転倒の有無と転倒方向を検知するため転倒検知器とこれを備えた梱包装置に関するものである。
【背景技術】
【０００２】
例えば、複写機やプリンター等の製品を工場からユーザー先まで輸送する場合、製品は段ボール箱等の梱包箱に梱包された状態で輸送されるが、この場合、所定の梱包基準に基づいて設計された緩衝部材を用いて製品が梱包されている。ここで、緩衝部材は過剰なスペックにならないようにコストも意識して設計されている。
【０００３】
しかし、市場では梱包基準以上の過酷な条件で製品が輸送されることが多く、梱包箱が横に倒された状態で放置され、この梱包箱が振動を受けたり、落下したような場合には、内部の製品が損傷することがある。梱包箱の外ケースは圧縮強度を考慮したスペックになっているため、梱包箱の外観からだけでは輸送時の製品の状態を判断することができない。
【０００４】
そこで、輸送中に製品や梱包箱が転倒したか否かを検知する転倒検知器を製品や梱包箱に設置することが行われている。
【０００５】
例えば、特許文献１には、製品や梱包箱が傾斜限界を超えたときにインジケータが保持ガイドから外れるようにした転倒検知器が提案されている。より詳細には、インジケータは、傾斜したときに保持ガイドにおいて転動する形状の第１部分と、該第１部分よりも小さくて当該第１部分の転動を妨げない形状の第２部分とで構成され、通常は第１部分と第２部分とが結合しており、これらが衝撃を受けた場合に分離するようになっている。このような転倒検知器によれば、製品の転倒の有無と製品が衝撃を受けたか否かを検知することができる。
【先行技術文献】
【特許文献】
【０００６】
【特許文献１】特許第４８４８４５５号公報
【発明の概要】
【発明が解決しようとする課題】
【０００７】
しかしながら、特許文献１において提案された転倒検知器によれば、製品や梱包箱の転倒の有無や製品が衝撃を受けたか否かを検知することができるものの、製品や梱包箱の転倒方向は検知することができない。
【０００８】
本発明は上記問題に鑑みてなされたもので、その目的とする処は、梱包箱の転倒の有無と転倒方向を検知することができる転倒検知器及びこれを供え他梱包装置を提供することにある。
【課題を解決するための手段】
【０００９】
上記目的を達成するため、請求項１記載の発明は、梱包箱又は該梱包箱が載置されるパレットに設置されて梱包箱の転倒の有無と転倒方向を検知するための転倒検知器を、上端が開口した容器を透明なケース内に収納し、該ケース内の前記容器との間の空間を仕切板によって区画して周方向に複数の室を形成し、前記容器内に流動体を収容して構成したことを特徴とする。
【００１０】
請求項２記載の発明は、請求項１記載の発明において、前記容器を上方に向かって先細り形状に成形するとともに、その上端を前記仕切板の上端よりも高い位置で開口させたことを特徴とする。
【００１１】
請求項３記載の発明は、請求項１又は２記載の発明において、前記ケース内の前記容器との間の空間を４枚の前記仕切板によって４つの室に区画したことを特徴とする。
【００１２】
請求項４記載の発明は、請求項１〜３の何れかに記載の発明において、前記ケースの外周に位置決めリブを突設したことを特徴とする。
【００１３】
請求項５記載の梱包装置は、請求項１〜４の何れかに記載された転倒検知器を備えることを特徴とする。
【００１４】
請求項６記載の発明は、請求項５記載の発明において、パレットの桁に前記点灯検知器を収納し、前記桁に視認用の窓を形成したことを特徴とする。
【発明の効果】
【００１５】
本発明によれば、輸送中に梱包箱が転倒した場合、該梱包箱又はパレットに設置された転倒検知器も転倒し、その容器に収容された流動体が上端の開口部から外部へとこぼれ出し、梱包箱を正規の姿勢に復帰させたときに転倒検知器も正規の姿勢に復帰し、該転倒検知器の容器の外部へとこぼれ出した流動体がケース内の仕切られた複数の室の何れかに溜まる。従って、転倒検知器の容器の外部に流動体がこぼれ出しているか否かによって梱包箱の転倒の有無を検知することができるとともに、梱包箱の転倒が検知された場合、流動体が転倒検知器のケース内の複数の室のうちのどの室に溜まっているかによって転倒した方向を検知することができる。
【００１６】
又、ケースの外周に突設された位置決めリブを梱包箱又はパレットニ形成された係合溝に係合させることによって、転倒検知器を梱包箱に対して周方向において所定の向きに正確に位置決めした状態で設置することができ、梱包箱の転倒方向を正確に検知することができる。
【図面の簡単な説明】
【００１７】
【図１】本発明に係る転倒検知器の正面図である。
【図２】本発明に係る転倒検知器の平面図である。
【図３】図２のＡ−Ａ線断面図である。
【図４】本発明に係る転倒検知器が設置されたパレットのフランジ片を展開した状態の一部を破断して示す平面図である。
【図５】本発明に係る転倒検知器が設置されたパレットの正面図（図４の矢視Ｂ方向の図）である。
【図６】図４のＣ部拡大詳細図である。
【図７】本発明に係る転倒検知器の作用を説明する断面図であって、（ａ）は転倒時の状態、（ｂ）は復帰時の状態をそれぞれ示す。
【発明を実施するための形態】
【００１８】
以下に本発明の実施の形態を添付図面に基づいて説明する。
【００１９】
図１は本発明に係る転倒検知器の正面図、図２は同転倒検知器の平面図、図３は図２のＡ−Ａ線断面図であり、図示の転倒検知器１においては、上面が閉じられた円筒状の透明なケース２の内部に円錐筒状の容器３が下方から圧入されて収容されている。ここで、容器３は上方に向かって先細りの逆漏斗状に成形されており、その上端には開口部３ａが形成されている。そして、この容器３の内部には、図３に示すように流動体として砂４が収容されている。尚、容器３に収容する流動体としては、砂４以外に液体（好ましくは有色のもの）等を用いても良い。
【００２０】
そして、ケース２の内部には容器３との間に空間が形成されるが、この空間は、図２に示すように、平面視十字状に配置された仕切板５によって区画され、空間には同じ容積の４つの室Ｓ１，Ｓ２，Ｓ３，Ｓ４が周方向に形成されている。ここで、図１及び図３に示すように、容器３の上端は仕切板５の上端よりも高い位置あり、この上端の開口部３ａは仕切板５の上方において開口している。
【００２１】
又、本実施の形態に係る転倒検知器１においては、ケース２の上端外周（具体的には、室Ｓ１が形成された部位）に、上下方向に長い矩形プレート状の位置決めリブ６が径方向外方に向かって突設されている。
【００２２】
次に、以上のように構成された転倒検知器１の設置構造を図４〜図６に基づいて以下に説明する。
【００２３】
図４は本発明に係る転倒検知器が設置されたパレットのフランジ片を展開した状態の一部を破断して示す平面図、図５は同パレットの正面図（図４の矢視Ｂ方向の図）、図６は図４のＣ部拡大詳細図であり、図示のパレット１０は、製品が梱包された不図示の梱包箱を載置するためのものであって、矩形状の合板製のベース１１を木製ブロック状の複数（図示例では９個）の桁（スペーサ）１２で支持するとともに、これらの桁１２同士の下面を木製の渡し部材１３によって連結することによって構成されている。尚、ベース１１の上面には段ボール製の底板１１Ａが載置されており、この底板１１Ａの周囲には、上方へと折り曲げ可能な４つのフランジ片１１ａがそれぞれ形成されており、各フランジ片１１ａには、当該フランジ片１１ａを不図示の梱包箱に連結するための不図示のジョイントを通すための長孔１４がそれぞれ形成されている。
【００２４】
本実施の形態では、複数の桁１２の１つ（図４及び図５参照）には図６に示すような円穴１５が形成されている。この円穴１５は上方が開口する垂直な穴であって、その外周からは係合溝１６が径方向外方に延びている。又、図５に示すように、円穴１５が形成された桁１２の側面（図５の手前側の面）には矩形の検知窓１７が形成されている。
【００２５】
而して、１つの桁１２に形成された円穴１５には、図１〜図３に示す転倒検知器１が上方から差し込まれて収納されるとともに、そのケース２の外周に突設された位置決めリブ６が桁１２に形成された前記係合溝１６に係合する子とによって当該転倒検知器１の周方向の位置決めがなされる。
【００２６】
以上のように１つの桁１２の円穴１５に転倒検知器１が収容されたパレット１０のベース１１上に不図示の梱包箱が載置されると、パレット１０のベース１１の周囲に形成されたフランジ片１１ａが垂直上方へと折り曲げられて梱包箱の外周面に当てられ、各フランジ片に形成された長孔１４に挿通する不図示のジョイントによって各フランジ片１１ａが梱包箱の周面に連結されることによってパレット１０が梱包箱の下面に連結されて一体化される。
【００２７】
次の、パレット１０の１つの桁１２に収容された転倒検知器１の作用を図７に基づいて以下に説明する。尚、図７は本発明に係る転倒検知器の作用を説明する断面図であって、（ａ）は転倒時の状態、（ｂ）は復帰時の状態をそれぞれ示す。
【００２８】
製品が収容された梱包箱が例えば工場からユーザー先へと輸送される場合、その途中での該梱包箱の転倒の有無と転倒していた場合にはその転倒方向が転倒検知器１によって検知される。
【００２９】
即ち、輸送中に梱包箱が転倒しなかった場合には、転倒検知器１も転倒しないため、容器に収容された砂４は該容器３の上端の開口部３ａからケース２内の空間へと漏れ出ることがない。このため、転倒検知器１の４つの室Ｓ１〜Ｓ４には砂４が溜まっておらず（図３に示す状態）、このことによって梱包箱は輸送中に１回も転倒しなかったことが分かる。
【００３０】
他方、輸送中に梱包箱が転倒した場合には、転倒検知器１も図７（ａ）に示すように転倒して真横を向くため、容器３内に収容されている砂４が該容器３の開口部３ａから外部の空間へと漏れ出してケース２内の空間に溜まる。このような状態で梱包箱を正規の姿勢に復帰させると、転倒検知器１の容器３から漏れ出した砂４が梱包箱の転倒方向によって室Ｓ１〜Ｓ４の何れか１つに図７（ｂ）に示すように溜まる。このため、転倒検知器１において砂４が複数の室Ｓ１〜Ｓ４のどの室に溜まっているかを判別することによって梱包箱の転倒方向を検知することができる。
【００３１】
以上のように、本発明に係る転倒検知器１によれば、容器３の外部に砂４がこぼれ出しているか否かによって梱包箱の転倒の有無を検知することができるとともに、梱包箱の転倒が検知された場合、砂４が転倒検知器１のケース２内の複数の室Ｓ１〜Ｓ４のうちの何れに溜まっているかを判別することによって転倒した方向を検知することができる。そして、本実施の形態では、パレット１０の転倒検知器１が設置される桁１２の側面に検知窓１７を形成したため、この検知窓１７から砂４の状態を視認することによって梱包箱の転倒の有無と転倒方向をそのままの状態で検知することができる。
【００３２】
又、本実施の形態では、転倒検知器１のケース２の外周に突設された位置決めリブ６をパレット１０の桁１２に形成された係合溝１６に係合させるようにしたため、該転倒検知器１を梱包箱に対して所定の向きに正確に位置決めした状態で設置することができ、梱包箱の転倒方向を正確に検知することができる。
【００３３】
尚、以上の実施の形態では、転倒検知器１をパレット１０の桁１２に設置したが、転倒検知器１を梱包箱に直接設置するようにしても良い。
【符号の説明】
【００３４】
１          転倒検知器
２          転倒検知器のケース
３          転倒検知器の容器
３ａ        容器の開口部
４          砂（流動体）
５          転倒検知器の仕切板
６          転倒検知器の位置決めリブ
１０        パレット
１１        パレットのベース
１１Ａ      パレットの底板
１１ａ      ベースのフランジ片
１２        パレットの桁
１３        パレットの渡し部材
１４        長孔
１５        円穴
１６        係合溝
１７        検知窓
Ｓ１〜Ｓ４  室
【図１】
2014162497.tif 000003
【図２】
2014162497.tif 000004
【図３】
2014162497.tif 000005
【図４】
2014162497.tif 000006
【図５】
2014162497.tif 000007
【図６】
2014162497.tif 000008
【図７】
2014162497.tif 000009